(57)【要約】      （修正有）【課題】下に積まれた容器の内部から外部に蒸気を確実に排出することができる包装容器を提供する。【解決手段】包装容器１は、上方が開放される第１容器２と、第１容器の上方を覆うように、第１容器の上に積まれる第２容器３と、を備える、包装容器であって、第２容器が第１容器の上に積まれる状態で、第１容器の内部と外部との間に、気体の通路を形成する通気手段６を備える。【選択図】図７
2019172310.tif 000002
【特許請求の範囲】
【請求項１】
上方が開放される第１容器と、
前記第１容器の上方を覆うように、前記第１容器の上に積まれる第２容器と、を備える、包装容器であって、
前記第２容器が前記第１容器の上に積まれる状態で、前記第１容器の内部と外部との間に、気体の通路を形成する通気手段を備える、包装容器。
【請求項２】
前記通気手段は、前記第１容器と前記第２容器との間に隙間を形成するために、前記第１容器及び前記第２容器の少なくとも一方に、凹部及び凸部の少なくとも一方を備える、請求項１に記載の包装容器。
【請求項３】
前記通気手段は、前記第１容器の上面部に凹部を備え、
前記凹部の深さ寸法は、前記凹部の幅寸法よりも、小さい、請求項２に記載の包装容器。
【請求項４】
前記通気手段は、前記第１容器と前記第２容器とが接することによって、前記第２容器が前記第１容器の上から所定距離以上離れることを規制する規制部を備える、請求項１に記載の包装容器。
【請求項５】
前記通気手段は、前記第２容器が前記第１容器の上から所定距離以上離れることを規制するために、第１及び第２容器を覆う外装体を備える、請求項１に記載の包装容器。
【請求項６】
少なくとも前記第１容器の側面部を覆う外装体を備え、
前記第１容器は、側面部に、上下方向に延びる溝部を備える、請求項１〜５の何れか１項に記載の包装容器。
【発明の詳細な説明】
【技術分野】
【０００１】
本発明は、包装容器に関する。
【背景技術】
【０００２】
従来、例えば、包装容器は、段積みされる複数の容器を備えている（例えば、特許文献１）。ところで、斯かる包装容器が電子レンジ等で加熱された場合には、各容器の内部の圧力が上昇する。したがって、下の容器の内部の気体を、当該容器の外部に排出させる必要がある。
【先行技術文献】
【特許文献】
【０００３】
【特許文献１】登録実用新案第３１２７１０１号公報
【発明の概要】
【発明が解決しようとする課題】
【０００４】
そこで、課題は、下に積まれた容器の内部から外部に気体を確実に排出することができる包装容器を提供することである。
【課題を解決するための手段】
【０００５】
包装容器は、上方が開放される第１容器と、前記第１容器の上方を覆うように、前記第１容器の上に積まれる第２容器と、を備える、包装容器であって、前記第２容器が前記第１容器の上に積まれる状態で、前記第１容器の内部と外部との間に、気体の通路を形成する通気手段を備える。
【０００６】
また、包装容器においては、前記通気手段は、前記第１容器と前記第２容器との間に隙間を形成するために、前記第１容器及び前記第２容器の少なくとも一方に、凹部及び凸部の少なくとも一方を備える、という構成でもよい。
【０００７】
また、包装容器においては、前記通気手段は、前記第１容器の上面部に凹部を備え、前記凹部の深さ寸法は、前記凹部の幅寸法よりも、小さい、という構成でもよい。
【０００８】
また、包装容器においては、前記通気手段は、前記第１容器と前記第２容器とが接することによって、前記第２容器が前記第１容器の上から所定距離以上離れることを規制する規制部を備える、という構成でもよい。
【０００９】
また、包装容器においては、前記通気手段は、前記第２容器が前記第１容器の上から所定距離以上離れることを規制するために、第１及び第２容器を覆う外装体を備える、という構成でもよい。
【００１０】
また、包装容器は、少なくとも前記第１容器の側面部を覆う外装体を備え、前記第１容器は、側面部に、上下方向に延びる溝部を備える、という構成でもよい。
【図面の簡単な説明】
【００１１】
【図１】図１は、一実施形態に係る包装容器の全体正面図である。
【図２】図２は、同実施形態に係る包装容器の全体縦断面図である。
【図３】図３は、同実施形態に係る第２容器の全体斜視図である。
【図４】図４は、同実施形態に係る第２容器の全体縦断面図である。
【図５】図５は、同実施形態に係る第１容器の全体斜視図である。
【図６】図６は、同実施形態に係る第１容器の全体縦断面図である。
【図７】図７は、図２のVII領域拡大図である。
【図８】図８は、他の実施形態に係る第１容器の要部縦断面図である。
【図９】図９は、さらに他の実施形態に係る第１容器の全体斜視図である。
【図１０】図１０は、さらに他の実施形態に係る包装容器の要部縦断面図である。
【図１１】図１１は、さらに他の実施形態に係る包装容器の要部縦断面図である。
【図１２】図１２は、さらに他の実施形態に係る包装容器の分解要部正面図であって、一部が縦断面を示す図である。
【図１３】図１３は、同実施形態に係る包装容器の要部縦断面図であって、組み立て方法を説明する図である。
【図１４】図１４は、同実施形態に係る包装容器の要部縦断面図であって、組み立て方法を説明する図である。
【図１５】図１５は、同実施形態に係る包装容器の要部縦断面図であって、加熱状態を説明する図である。
【図１６】図１６は、同実施形態に係る包装容器の要部縦断面図であって、加熱完了状態を説明する図である。
【図１７】図１７は、さらに他の実施形態に係る包装容器の分解要部縦断面図を示す。
【図１８】図１８は、同実施形態に係る包装容器の要部縦断面図であって、組み立て方法を説明する図である。
【図１９】図１９は、同実施形態に係る包装容器の要部縦断面図であって、加熱状態を説明する図である。
【図２０】図２０は、同実施形態に係る包装容器の要部縦断面図であって、加熱完了状態を説明する図である。
【図２１】図２１は、さらに他の実施形態に係る包装容器の全体縦断面図を示す。
【図２２】図２２は、同実施形態に係る包装容器の要部縦断面図であって、加熱状態を説明する図である。
【図２３】図２３は、さらに他の実施形態に係る包装容器の要部縦断面図である。
【図２４】図２４は、同実施形態に係る包装容器の要部縦断面図である。
【図２５】図２５は、同実施形態に係る包装容器の要部縦断面図であって、加熱状態を説明する図である。
【図２６】図２６は、同実施形態に係る包装容器の要部縦断面図であって、加熱状態を説明する図である。
【発明を実施するための形態】
【００１２】
＜第１実施形態＞
以下、包装容器における第１の実施形態について、図１〜図１１を参照しながら説明する。なお、各図（図１２〜図２６も同様）において、図面の寸法比と実際の寸法比とは、必ずしも一致しておらず、また、各図面の間での寸法比も、必ずしも一致していない。
【００１３】
図１及び図２に示すように、本実施形態に係る包装容器１は、上方が開放される第１容器２と、第１容器２の上方を覆うように、第１容器２の上に積まれる第２容器３と、第２容器３の上方を覆う蓋体４とを備えている。また、包装容器１は、第１容器２、第２容器３及び蓋体４を外側から覆う外装体５を備えている。
【００１４】
第１容器２及び第２容器３は、それぞれ下方に向けて外径が小径（外幅が幅狭）となるように、形成されている。なお、横方向Ｄ１，Ｄ２視において、第１容器２及び第２容器３の側周面が上下方向Ｄ３に対する傾斜角度は、３°〜１０°であることが好ましい。そして、横方向Ｄ１，Ｄ２視において、第１容器２及び第２容器３の側面部が上下方向Ｄ３に対する傾斜角度は、それぞれ同じとなっている。
【００１５】
なお、本実施形態においては、第１容器２及び第２容器３の側面部が、同じ傾斜角度である、という構成としているが、それぞれの側面部の傾斜角度差が−５°〜５°の範囲であれば、第１容器２及び第２容器３は、積まれることによって、一つの容器を構成するように見えるため好ましい。
【００１６】
容器２，３の材質は、内部に食品等を収容しても変形しないような剛性を有し、電子レンジ等で加熱されても変形しないような耐熱性を有していれば、特に限定されない。例えば、容器２，３は、ポリエチレン系樹脂やポリプロピレン系樹脂等のポリオレフィン系樹脂、ポリスチレン系樹脂、ナイロン等のポリアミド系樹脂、ポリエチレンテレフタレート等のポリエステル系樹脂等の通常公知の熱可塑性樹脂を材料として、射出成形、プレス成形、真空成形、圧空成形等により形成されたものが挙げられる。
【００１７】
蓋体４は、第２容器３に着脱可能に構成されていてもよく、また、第２容器３に接合されており、第２容器３から剥離可能に構成されていてもよい。なお、蓋体４の材質は、特に限定されない。
【００１８】
例えば、蓋体４は、厚さ１０μｍ〜４００μｍのシート材料から形成される。例えば、その材料としては、ポリエチレン系樹脂やポリプロピレン系樹脂等のポリオレフィン系樹脂、ポリスチレン系樹脂、ナイロン等のポリアミド系樹脂、ポリエチレンテレフタレート等のポリエステル系樹脂等の通常公知の熱可塑性樹脂や、紙、アルミ箔等、又はこれらの複合材料等が挙げられる。
【００１９】
また、蓋体４は、第２容器３（具体的には、後述するフランジ部３ｄ）にヒートシールされる場合は、シーラント層を備えることが好ましく、シーラント層としては、種々の材料を採用できるが、例えば、高密度ポリエチレン（ＨＤＰＥ）、低密度ポリエチレン（ＬＤＰＥ）、直鎖状低密度ポリエチレン（ＬＬＤＰＥ）、ポリプロピレン樹脂、エチレン−プロピレン共重合体等のポリオレフィン系樹脂、エチレン−酢酸ビニル共重合体等のエチレン系共重合体等が挙げられる。
【００２０】
また、蓋体４は、第２容器３の内部の気体を第２容器３の外部に排出するために、複数の通気孔を備えていてもよい。なお、蓋体４が備えられておらず、第２容器３の上方が、外装体５で覆われている、という構成でもよい。
【００２１】
外装体５は、第１容器２の側面部及び下面部、第２容器３の側面部、蓋体４の上面部を覆っている。これにより、外装体５は、第１容器２、第２容器３及び蓋体４を互いに固定している。例えば、外装体５は、熱収縮性を有する樹脂フィルムで形成されていてもよく、また、伸縮性を有する樹脂フィルムで形成されていてもよく、また、紙シートで形成されていてもよい。
【００２２】
外装体５が熱収縮性を有する樹脂フィルムで形成される場合、当該樹脂フィルムは、少なくとも一方向に延伸されており、一軸延伸フィルム、二軸延伸フィルムのいずれであってもよい。また、当該樹脂フィルムには、従来公知の樹脂フィルムを用いることができる。
【００２３】
樹脂フィルムの具体例としては、オレフィン系樹脂（例えばポリエチレン、ポリプロピレン等）、エステル系樹脂（例えばポリエチレンテレフタレート、ポリ乳酸等）、スチレン系樹脂（ポリスチレン、スチレン−ブタジエン共重合体等）、塩化ビニル系樹脂、アミド系樹脂、またはアクリル系樹脂を主成分とする、単層、又は同種若しくは異種の樹脂を積層した積層フィルムが挙げられる。
【００２４】
樹脂フィルムは、例えば、オレフィン系樹脂を主成分として構成される。オレフィン系樹脂を主成分とする樹脂フィルムは、一般的に低コストでありながら、伸縮性が高く破断強度に優れる。好適なオレフィン系樹脂の一例は、ポリエチレンまたはポリプロピレンである。樹脂フィルムの厚みは、例えば、５μｍ〜１００μｍである。樹脂フィルムには、一般的に無色透明の樹脂フィルムが用いられるが、各種印刷層が形成されていてもよい。
【００２５】
なお、外装体５は、内部の気体を外部に排出するために、複数の通気孔を備えていてもよい。また、外装体５は、第１容器２及び第２容器３から取り外されるために、ミシン目やハーフカット等の切断手段を備えていてもよい。
【００２６】
図３及び図４に示すように、第２容器３は、筒状に形成される胴部３ａと、胴部３ａの下方を閉塞する底部３ｂと、底部３ｂから下方に筒状に延びる脚部３ｃとを備えている。また、第２容器３は、胴部３ａの上端から径方向の外方に突出するフランジ部３ｄを備えている。なお、第２容器３の側面部は、胴部３ａの外周部、脚部３ｃの外周部、及びフランジ部３ｄの外周部からなる。
【００２７】
第２容器３は、側面部に、凹凸がない滑面部３ｅと、上下方向Ｄ３に延びる凸条部３ｆ及び溝部３ｇを周方向に交互に有する凹凸部３ｈとを備えている。滑面部３ｅは、胴部３ａの外周部の上方側に配置されており、凹凸部３ｈは、胴部３ａの外周部の下方側と脚部３ｃの外周部とに亘って配置されている。
【００２８】
第２容器３は、第２容器３が第１容器２の上に積まれる状態で、第１容器２に接する第２接触部３ｉを備えている。本実施形態においては、第２接触部３ｉは、底部３ｂの下面部である。具体的には、第２接触部３ｉは、底部３ｂの下面部のうち、径方向の外側の部分であり、第１容器２の上面部と接する。
【００２９】
図５及び図６に示すように、第１容器２は、筒状に形成される胴部２ａと、胴部２ａの下方を閉塞する底部２ｂと、底部２ｂから下方に筒状に延びる脚部２ｃとを備えている。また、第１容器２は、胴部２ａの上端から径方向の外方に突出するフランジ部２ｄを備えている。なお、第１容器２の側面部は、胴部２ａの外周部、脚部２ｃの外周部、及びフランジ部２ｄの外周部からなる。
【００３０】
第１容器２は、側面部に、凹凸がない滑面部２ｅと、上下方向Ｄ３に延びる凸条部２ｆ及び溝部２ｇを周方向に交互に有する凹凸部２ｈとを備えている。滑面部２ｅは、胴部２ａの外周部の上方側に配置されており、凹凸部２ｈは、胴部２ａの外周部の下方側と脚部２ｃの外周部とに亘って配置されている。
【００３１】
第１容器２は、第２容器３が第１容器２の上に積まれる状態で、第２容器３に接する第１接触部２ｉを備えている。本実施形態においては、第１接触部２ｉは、フランジ部２ｄである。具体的には、第１接触部２ｉは、フランジ部２ｄの上面部であり、第２容器３の第２接触部３ｉと接する。
【００３２】
第１容器２は、上面部、即ち、第１接触部２ｉに、凹部２ｊを備えている。なお、凹部２ｊの個数は、特に限定されない。本実施形態においては、凹部２ｊは、四つ備えられており、周方向に等間隔となるように配置されている。
【００３３】
凹部２ｊの深さ寸法Ｗ１は、凹部２ｊの幅寸法Ｗ２よりも、小さくなっている。なお、凹部２ｊの寸法は、特に限定されないが、例えば、凹部２ｊの深さ寸法Ｗ１は、０．３〜０．７ｍｍであることが好ましく、凹部２Ｊの幅寸法Ｗ２は、０．５〜５．０ｍｍであることが好ましい。
【００３４】
これにより、凹部２ｊの深さ寸法Ｗ１が幅寸法Ｗ２よりも大きい構成と比較して、第１容器２のフランジ部２ｄの剛性が低下することを抑制することができるため、例えば、第１容器２の上に第２容器３を安定して積むことができる。また、凹部２ｊの深さ寸法Ｗ１が幅寸法Ｗ２よりも大きい構成と比較して、第１容器２のフランジ部２ｄに口が接触する際に、第１容器２から受ける刺激（例えば、痛み）を小さくすることができる。
【００３５】
ここで、包装容器１を電子レンジで加熱する際の現象について、図７を参照しながら説明する。
【００３６】
図７に示すように、第２容器３が第１容器２の上に積まれる状態において、第１容器２の上部（フランジ部２ｄ）は、第２容器３の下部（脚部３ｃ）の内部に、嵌められている。このとき、第１容器２が上面部に凹部２ｊを備えているため、第２容器３が第１容器２の上に積まれる状態において、第１容器２の上面部と第２容器３の下面部との間に隙間が形成される。そして、当該隙間が気体の通路となるため、凹部２ｊは、気体の通路を形成する通気手段６である。
【００３７】
したがって、包装容器１が電子レンジで加熱され、例えば、第１容器２の内部の圧力が上昇したり、第１容器２の内部から蒸気が発生したりした場合に、気体（空気や蒸気）は、当該隙間を通過して、第１容器２の内部から外部に排出される（図７の二点鎖線矢印Ｌ１参照）。その後、気体は、第１容器２の溝部２ｇと外装体５との間を通過して、外装体５（包装容器１）の外部に排出される（図７の二点鎖線矢印Ｌ２参照）。
【００３８】
このとき、外装体５が滑面部２ｅと接している際には、気体が外装体５（包装容器１）の外部に排出できない場合がある。そこで、外装体５が滑面部２ｅと離れるような形状であることが好ましい。具体的には、第２容器３の側面部の下端位置Ｐ１と当該位置Ｐ１と同じ高さの第１容器２の側面位置Ｐ２との距離Ｗ３は、第２容器３の側面部の下端位置Ｐ１と第１容器２の滑面部２ｅの下端位置Ｐ３との距離Ｗ４の、１／２以上であることが好ましく、２／３以上であることがより好ましい。
【００３９】
なお、第２容器３の脚部３ｃの高さは、特に限定されないが、例えば、１０ｍｍ未満であることが好ましく、また、３ｍｍ〜５ｍｍであることがさらに好ましい。これにより、例えば、第１容器２の上に第２容器３を安定して積むことができ、また、例えば、電子レンジによる加熱効率も優れている。
【００４０】
また、第２容器３の内部の空気や第２容器３の内部で発生した蒸気も、第２容器３の外部及び包装容器１の外部に排出されている。例えば、第２容器３の内部の気体（空気や蒸気）は、蓋体４の通気孔を通過することによって、第２容器３の外部に排出され、さらに、外装体５の通気孔を通過することによって、包装容器１の外部に排出されている。
【００４１】
また、第１容器２及び第２容器３は、側面部に凹凸部２ｈ，３ｈを備えており、断熱機能を有している。具体的には、第１及び第２容器２，３を持つ際に、手と接触する部分が凸条部２ｆ，３ｆのみとなるため、手と接触する面積が小さくなる。これにより、第１及び第２容器２，３から手に伝わる熱量を抑えることができるため、電子レンジにより第１及び第２容器２，３が加熱された後でも、第１及び第２容器２，３の取り扱いが容易である。
【００４２】
以上より、本実施形態に係る包装容器１は、上方が開放される第１容器２と、前記第１容器２の上方を覆うように、前記第１容器２の上に積まれる第２容器３と、を備える、包装容器１であって、前記第２容器３が前記第１容器２の上に積まれる状態で、前記第１容器２の内部と外部との間に、気体の通路を形成する通気手段６を備える。
【００４３】
斯かる構成によれば、第２容器３が第１容器２の上に積まれる状態で、通気手段６が、第１容器２の内部と外部との間に、気体の通路を形成する。これにより、第１容器２の内部の気体が、第１容器２の外部に排出するため、下に積まれた第１容器２の内部から外部に気体を確実に排出することができる。
【００４４】
また、本実施形態に係る包装容器１においては、前記通気手段６は、前記第１容器２と前記第２容器３との間に隙間を形成するために、前記第１容器２及び前記第２容器３の少なくとも一方（本実施形態においては、第１容器２）に、凹部２ｊ及び凸部の少なくとも一方（本実施形態においては、凹部２ｊ）を備える、という構成である。
【００４５】
斯かる構成によれば、第１容器２及び第２容器３の少なくとも一方が、凹部２ｊ及び凸部の少なくとも一方を備えているため、第１容器２と第２容器３との間に、隙間が形成される。これにより、第１容器２の内部の気体が、当該隙間を通過して、第１容器２の外部に排出される。
【００４６】
また、本実施形態に係る包装容器１においては、前記通気手段６は、前記第１容器２の上面部に凹部２ｊを備え、前記凹部２ｊの深さ寸法Ｗ１は、前記凹部２ｊの幅寸法Ｗ２よりも、小さい、という構成である。
【００４７】
斯かる構成によれば、凹部２ｊが、第１容器２の上面部に備えられているため、第１容器２の上面部と第２容器３との間に、通気手段６となる隙間が形成される。これにより、第１容器２の内部の気体が、第１容器２の外部に排出される。
【００４８】
そして、凹部２ｊの深さ寸法Ｗ１が幅寸法Ｗ２よりも小さくなっているため、例えば、第１容器２の上端部の剛性が低下することを抑制することができる。また、例えば、第１容器２の上面部に口が接触する際に、第１容器２から受ける刺激を小さくすることができる。
【００４９】
また、本実施形態に係る包装容器１は、少なくとも前記第１容器２の側面部を覆う外装体５を備え、前記第１容器２は、側面部に、上下方向に延びる溝部２ｇを備える、という構成である。
【００５０】
斯かる構成によれば、溝部２ｇが、第１容器２の側面部に上下方向に延びているため、第１容器２と外装体５との間に、気体の通路が形成される。これにより、第１容器２の内部の気体が、第１容器２の外部に排出された後、溝部２ｇを通過することによって、外装体５の外部に排出される。
【００５１】
なお、包装容器１は、上記した第１実施形態に係る包装容器１の構成及び作用に限定されるものではない。例えば、上記した第１実施形態に係る包装容器１に対して、以下のような変更が行われてもよい。
【００５２】
（１）上記第１実施形態に係る包装容器１においては、通気手段６は、第１容器２の上面部に、凹部２ｊを備えている、という構成である。しかしながら、包装容器１は、斯かる構成に限られない。
【００５３】
例えば、包装容器１においては、図８に示すように、通気手段６は、第１容器２の上面部に、凸部２ｋを備え、第２容器３が第１容器２の上に積まれる状態で、第１容器２と第２容器３との間に隙間が形成される、という構成でもよい。また、例えば、通気手段６は、第１容器２の第１接触部２ｉ（例えば、フランジ部２ｄの上面部、フランジ部２ｄの外周部）に、凹部２ｊ及び凸部２ｋの両方を備えている、という構成でもよい。
【００５４】
また、例えば、通気手段６は、第２容器３の第２接触部３ｉ（例えば、底部３ｂの下面部、脚部３ｃの内周部）に、凹部及び凸部の少なくとも一方を備えている、という構成でもよい。なお、通気手段６は、第１容器２及び第２容器３の一方に、凹部及び凸部の少なくとも一方を備えている、という構成でもよく、第１容器２及び第２容器３の両方に、それぞれ凹部及び凸部の少なくとも一方を備えている、という構成でもよい。
【００５５】
（２）また、上記第１実施形態に係る包装容器１においては、通気手段６は、第１容器２の第１接触部２ｉに、凹部２ｊを備えている、という構成である。しかしながら、包装容器１は、斯かる構成に限られない。例えば、図９に示すように、通気手段６は、第２容器３と接触しない第１容器２の胴部２ａの部分（例えば、滑面部２ｅ）に、第１容器２の内部と外部とを貫通する孔部２ｍを備えている、という構成でもよい。
【００５６】
（３）また、上記第１実施形態に係る包装容器１においては、凹部２ｊの深さ寸法Ｗ１は、凹部２ｊの幅寸法Ｗ２よりも、小さい、という構成である。しかしながら、包装容器１は、斯かる構成が好ましいもの、斯かる構成に限られない。例えば、凹部２ｊの深さ寸法Ｗ１は、凹部２ｊの幅寸法Ｗ２以上である、という構成でもよい。
【００５７】
（４）また、上記第１実施形態に係る包装容器１においては、第１容器２、第２容器３及び蓋体４は、外装体５によって、互いに固定されている、という構成である。しかしながら、包装容器１は、斯かる構成に限られない。例えば、第１容器２、第２容器３及び蓋体４は、長尺体（例えば、バンド、紐、シール等）によって、互いに固定されている、という構成でもよい。
【００５８】
（５）また、包装容器１は、第１容器２の上方を覆う蓋体７を備えている、という構成でもよい。例えば、図１０に示すように、包装容器１は、第１容器２の上面部に剥離可能に接合される蓋体７を備えている、という構成でもよい。また、例えば、図１１に示すように、包装容器１は、第１容器２に着脱可能に取り付けられる蓋体７を備えている、という構成でもよい。
【００５９】
図１０及び図１１に示すように、蓋体７が第１容器２の上方を覆う状態で、且つ、第２容器３が蓋体７を介在して第１容器２の上に積まれる状態において、第１容器２の凹部２ｊによって、第１容器２と第２容器３との間に、隙間が形成される。具体的には、第１容器２の凹部２ｊによって、第１容器２と蓋体７との間に、隙間が形成される。
【００６０】
したがって、包装容器１が電子レンジで加熱された場合に、第１容器２の内部の気体は、当該隙間を通過して、第１容器２の内部から外部に排出される。このように、蓋体７が第１容器２から外されることなく、包装容器１を電子レンジで加熱することができる。なお、図１０及び図１１において、外装体５は、図示されていない。
【００６１】
＜第２実施形態＞
次に、包装容器１における第２の実施形態について、図１２〜図２０を参照しながら説明する。なお、図１２〜図２０において、図１〜図１１の符号と同一の符号を付した部分は、第１実施形態と略同様の構成又は略同様の機能（作用）を有する要素を表し、その説明は、繰り返さない。
【００６２】
図１２に示すように、本実施形態に係る包装容器１は、第１実施形態に係る包装容器１に対して、通気手段６の構成で相違している。具体的には、本実施形態に係る通気手段６は、第２容器３が第１容器２の上から所定距離以上離れることを規制する規制部６ａを備えいる。一方、本実施形態に係る第１容器２は、上面部に、凹部２ｊを備えていない。なお、図１２においては、第１容器２は、正面図とし、第２容器３は、縦断面図としている。
【００６３】
第１容器２は、側面部から径方向の外方に突出する第１突起部２ｎを備えており、第２容器３は、内周部から径方向の内方に突出する第２突起部３ｊを備えている。そして、規制部６ａは、第１容器２の第１突起部２ｎと第２容器３の第２突起部３ｊとによって、構成されている。なお、第２容器３が第１容器２の上に積まれる状態において、第１容器２の上部（フランジ部２ｄ）が、第２容器３の下部（脚部３ｃ）の内部に、嵌められている（図１３〜図１６参照）。
【００６４】
第１突起部２ｎは、第１容器２の胴部２ａの上部に配置されている。具体的には、第１突起部２ｎは、第１容器２の滑面部２ｅの外周部に配置されている。そして、第１突起部２ｎは、周方向に沿って延びている。なお、第１突起部２ｎの個数は、特に限定されないが、例えば、第１突起部２ｎは、周方向で等間隔となるように複数備えられていることが好ましい。
【００６５】
第２突起部３ｊは、第２容器３の脚部３ｃの内周部に配置されている。そして、第２突起部３ｊは、周方向に沿って延びている。なお、第２突起部３ｊの個数は、特に限定されないが、第１突起部２ｎと同じであることが好ましい。
【００６６】
また、第２容器３は、第２容器３を第１容器２に対して位置決めするために、第１突出部２ｎの周方向の端部と接する位置決め部３ｋを備えている。位置決め部３ｋは、第２容器３の内周部から内方に突出している。そして、位置決め部３ｋは、第２容器３の脚部３ｃの内周部に配置されている。また、位置決め部３ｋは、上下方向Ｄ３に沿って延びている。なお、位置決め部３ｋは、第２突起部３ｊと連結されている。
【００６７】
ここで、第２容器３を第１容器２の上に固定する、即ち、包装容器１の組み立て方法について、図１３及び図１４を参照しながら説明する。なお、図１３及び図１４（図１５及び図１６も同様）の左側の図においては、第１容器２のうち、第１突起部２ｎのみが、図示されている。
【００６８】
第２容器３を第１容器２の上に積むために、図１３に示すように、第１突起部２ｎと第２突起部３ｊとが上下方向Ｄ３で重ならない位置で、第１容器２の上部（フランジ部２ｄ）が、第２容器３の下部（脚部３ｃ）の内部に嵌められる。そして、第２容器３が第１容器２に対して上下方向Ｄ３周り（周方向）に回転されることで、図１４に示すように、第１突起部２ｎの端部が位置決め部３ｋに接する。
【００６９】
このとき、第１突起部２ｎが第２突起部３ｊから上方に離れており、且つ、第１突起部２ｎと第２突起部３ｊとが上下方向Ｄ３において重なっている。したがって、第２容器３が第１容器２の上から所定距離以上離れる場合には、第１突起部２ｎと第２突起部３ｊとが接するため、第２容器３が第１容器２から取り外し不能であり、第２容器３が第１容器２に固定されている。
【００７０】
このように、第２容器３が第１容器２に対して上下方向Ｄ３周りに回転されることで、第２容器３を第１容器２から取り外し可能な状態と、第２容器３を第１容器２から取り外し不能な状態とに切り替えることができる。即ち、第２容器３は、第１容器２に対して上下方向Ｄ３周りに回転されることで、離脱位置と固定位置とに変位される。
【００７１】
離脱位置とは、第１突起部２ｎと第２突起部３ｊとが上下方向Ｄ３で重ならない位置であって、第２容器３を第１容器２から取り外し可能な位置である。固定位置は、第１突起部２ｎと第２突起部３ｊとが上下方向Ｄ３で重なる位置であって、第２容器３を第１容器２から取り外し不能な位置（第２容器３が第１容器２に固定される位置）である。
【００７２】
次に、包装容器１を電子レンジで加熱する際の現象について、図１４〜図１６を参照しながら説明する。
【００７３】
図１４に示すように、第２容器３は、固定位置に位置されている。そして、包装容器１が電子レンジで加熱された場合に、第１容器２の内部の圧力が上昇する。その後、第１容器２の内部の圧力が所定圧力よりも上昇した場合に、図１５に示すように、第２容器３は、上昇し、第１容器２から離れようとする。
【００７４】
これにより、第１容器２と第２容器３との間に、隙間が形成される。そして、第１容器２の内部の気体（空気や蒸気）は、当該隙間を通過して、第１容器２の外部に排出される。このとき、規制部６ａを構成する第１突起部２ｎと第２突起部３ｊとが接するため、第２容器３が第１容器２の上から所定距離以上離れることを規制されている。
【００７５】
したがって、第２容器３を第１容器２の上に積む状態を維持することができている。なお、規制部６ａによって、第１容器２と第２容器３との間に、気体の通路となる隙間が形成されるため、規制部６ａは、気体の通路を形成する通気手段６である。
【００７６】
そして、包装容器１の加熱が完了すると、図１６に示すように、第２容器３が下降し、第１容器２に接する。なお、包装容器１が加熱されている際に、第１容器２の内部の圧力によって、第２容器３が上昇及び下降を繰り返し、第２容器３が第１容器２から離れたり第１容器２に接したりすることを繰り返す場合もある。
【００７７】
また、第２容器３が固定位置に位置する際に、第２容器３が第１容器２に固定されているため、本実施形態に係る包装容器１は、第２容器３を第１容器２に固定するための外装体５を備えてない、という構成でもよい。勿論、包装容器１は、第２容器３を第１容器２に確実に固定するために、外装体５や長尺体（例えば、バンド、紐、シール等）を備えている、という構成でもよい。
【００７８】
以上より、本実施形態に係る包装容器１は、上方が開放される第１容器２と、前記第１容器２の上方を覆うように、前記第１容器２の上に積まれる第２容器３と、を備える、包装容器１であって、前記第２容器３が前記第１容器２の上に積まれる状態で、前記第１容器２の内部と外部との間に、気体の通路を形成する通気手段６を備える。
【００７９】
斯かる構成によれば、第２容器３が第１容器２の上に積まれる状態で、通気手段６が、第１容器２の内部と外部との間に、気体の通路を形成する。これにより、第１容器２の内部の気体が、第１容器２の外部に排出するため、下に積まれた第１容器２の内部から外部に気体を確実に排出することができる。
【００８０】
また、本実施形態係る包装容器１においては、前記通気手段６は、前記第１容器２と前記第２容器３とが接することによって、前記第２容器３が前記第１容器２の上から所定距離以上離れることを規制する規制部６ａを備える、という構成である。
【００８１】
斯かる構成によれば、包装容器１が加熱された際に、第１容器２の内部の圧力が上昇する。そして、その圧力によって、第２容器３が第１容器２の上から離れようとするため、第１容器２と第２容器３との間に、気体の通路が形成される。これにより、第１容器２の内部の気体が、当該通路を通過して、第１容器２の外部に排出される。
【００８２】
一方で、第１容器２と第２容器３とが接することによって、第２容器３が第１容器２の上から所定距離以上離れることを規制している。これにより、第１容器２の内部の圧力が所定の圧力以上となった場合でも、第２容器３が第１容器２の上から所定距離以上離れることを抑制することができる。
【００８３】
なお、包装容器１は、上記した第２実施形態に係る包装容器１の構成及び作用に限定されるものではない。例えば、上記した第２実施形態に係る包装容器１に対して、以下のような変更が行われてもよい。
【００８４】
（１）上記第２実施形態に係る包装容器１においては、第２容器３は、第１容器２に対して上下方向Ｄ３周りに回転されることで、離脱位置と固定位置とに変位される、という構成である。しかしながら、包装容器１は、斯かる構成に限られない。例えば、図１７〜図２０に示すように、第２容器３は、第１容器２に対して上下方向Ｄ３に変位されることで、取り付け及び取り外しされる、という構成でもよい。図１７〜図２０に係る包装容器１について、以下に説明する。
【００８５】
図１７に示すように、第１容器２は、側面部から径方向の外方に突出する第１突起部２ｎを備え、第２容器３は、内周部から径方向の内方に突出する第２突起部３ｊを備えている。なお、第１容器２のフランジ部２ｄは、第１突起部２ｎを兼ねている。そして、規制部６ａは、第１容器２のフランジ部２ｄと第２容器３の第２突起部３ｊとによって、構成されている。
【００８６】
第２突起部３ｊは、第２容器３の脚部３ｃに配置されている。そして、第２突起部３ｊの突出量は、下方に向けて小さくなっている。なお、第２突起部３ｊの個数は、特に限定されないが、例えば、第２突起部３ｊは、周方向で等間隔となるように複数備えられていることが好ましい。
【００８７】
また、第２容器３の脚部３ｃは、弾性部３ｍを備えており、第２突出部３ｊは、弾性部３ｍに固定されている、という構成でもよい。斯かる構成によれば、弾性部３ｍが弾性変形することによって、第２容器３を第１容器２に容易に取り付けることができたり、第２容器３を第１容器２から容易に取り外すことができたりする。
【００８８】
ここで、第２容器３を第１容器２の上に固定する、即ち、包装容器１の組み立て方法について、図１８を参照しながら説明する。
【００８９】
第２容器３を第１容器２の上に積むために、第２容器３に、下方への力が加えられる。これにより、第２容器３の第２突起部３ｊが第１容器２のフランジ部２ｄを乗り上げるため、第２容器３が第１容器２に対して下方に変位する。そして、図１８に示すように、第１容器２の上部（フランジ部２ｄ）が、第２容器３の下部（脚部３ｃ）の内部に嵌められる。このとき、第２突起部３ｊの突出量が下方に向けて小さくなっており、しかも、弾性部３ｍが弾性変形するため、第２容器３を第１容器２に容易に取り付けることができる。
【００９０】
そして、第１容器２のフランジ部２ｄが第２容器３の第２突起部３ｊから上方に離れており、且つ、フランジ部２ｄと第２突起部３ｊとが上下方向Ｄ３において重なっている。したがって、第２容器３が第１容器２の上から所定距離以上離れる場合には、フランジ部２ｄと第２突起部３ｊとが接するため、第２容器３が第１容器２から取り外し不能であり、第２容器３が第１容器２に固定されている。
【００９１】
次に、包装容器１を電子レンジで加熱する際の現象について、図１９及び図２０を参照しながら説明する。
【００９２】
包装容器１が電子レンジで加熱された場合に、第１容器２の内部の圧力が上昇する。その後、第１容器２の内部の圧力が所定圧力よりも上昇した場合に、図１９に示すように、第２容器３は、上昇し、第１容器２から離れようとする。
【００９３】
これにより、第１容器２と第２容器３との間に、隙間が形成される。そして、第１容器２の内部の気体は、当該隙間を通過して、第１容器２の外部に排出される。このとき、規制部６ａを構成するフランジ部２ｄと第２突起部３ｊとが接するため、第２容器３が第１容器２の上から所定距離以上離れることを規制されている。
【００９４】
したがって、第２容器３を第１容器２の上に積む状態を維持することができている。なお、規制部６ａによって、第１容器２と第２容器３との間に、気体の通路となる隙間が形成されるため、規制部６ａは、気体の通路を形成する通気手段６である。そして、包装容器１の加熱が完了すると、図２０に示すように、第２容器３が下降し、第１容器２に接する。
【００９５】
（２）上記第２実施形態に係る包装容器１においては、第１容器２の上部が第２容器３の下部の内部に嵌められており、第１突起部２ｎが径方向の外方に突出し、第２突起部３ｊが径方向の内方に突出する、という構成である。しかしながら、包装容器１は、斯かる構成に限られない。例えば、第２容器３の下部が第１容器２の上部の内部に嵌められており、第１突起部２ｎが径方向の内方に突出し、第２突起部３ｊが径方向の外方に突出する、という構成でもよい。
【００９６】
（３）また、包装容器１は、第１容器２の上方を覆う蓋体（図１０及び図１１参照）を備えている、という構成でもよい。そして、例えば、第２容器３を第１容器２から取り外し、蓋体を第１容器２から取り外して、再度、第２容器３を第１容器２に取り付けてから、包装容器１が電子レンジで加熱されてもよい。また、例えば、蓋体が第１容器２を覆った状態で、包装容器１を電子レンジで加熱するために、蓋体は、気体を通す複数の通気孔を備えている、という構成でもよい。
【００９７】
＜第３実施形態＞
次に、包装容器１における第３の実施形態について、図２１〜図２６を参照しながら説明する。なお、図２１〜図２６において、図１〜図１１の符号と同一の符号を付した部分は、第１実施形態と略同様の構成又は略同様の機能（作用）を有する要素を表し、その説明は、繰り返さない。
【００９８】
図２１に示すように、本実施形態に係る包装容器１は、第１実施形態に係る包装容器１に対して、通気手段６の構成で相違している。具体的には、本実施形態に係る通気手段６は、第２容器３が第１容器２の上から所定距離以上離れることを規制するために、第１及び第２容器２，３を覆う外装体５を備えている。一方、本実施形態に係る第１容器２は、上面部に、凹部２ｊを備えていない。
【００９９】
外装体５は、第１容器２の側面部及び下面部と、第２容器３の側面部と、蓋体４の上面部とを覆っている。これにより、外装体５は、第１容器２、第２容器３及び蓋体４を互いに固定している。なお、外装体５が覆う範囲は、第２容器３が第１容器２の上から所定距離以上離れることを規制できる範囲であれば、特に限定されない。例えば、外装体５は、第１容器２よりも下方側の少なくとも一部と、第２容器３よりも上方側の少なくとも一部とを覆うことが好ましい。
【０１００】
また、外装体５は、第１及び第２容器２，３の内部の圧力が上昇した場合でも、伸長し且つ破断しない強度を有していれば、特に限定されない。例えば、外装体５は、樹脂フィルムで形成されていてもよい。
【０１０１】
ここで、包装容器１を電子レンジで加熱する際の現象について、図２２を参照しながら説明する。
【０１０２】
包装容器１が電子レンジで加熱された場合に、第１容器２の内部の圧力が上昇する。その後、第１容器２の内部の圧力が所定圧力よりも上昇した場合に、図２２に示すように、外装体５を伸長させることによって、第２容器３は、上昇し、第１容器２から離れようとする。
【０１０３】
これにより、第１容器２と第２容器３との間に、隙間が形成される。そして、第１容器２の内部の気体（空気や蒸気）は、当該隙間を通過して、第１容器２の外部に排出される。このとき、外装体５が所定以上伸長しないため、第２容器３が第１容器２の上から所定距離以上離れることを規制されている。
【０１０４】
したがって、第２容器３を第１容器２の上に積む状態を維持することができている。なお、外装体５によって、第１容器２と第２容器３との間に、気体の通路となる隙間が形成されるため、外装体５は、気体の通路を形成する通気手段６である。そして、包装容器１の加熱が完了すると、第２容器３が下降し、第１容器２に接する。このとき、外装体５は、伸長したまま（塑性変形）でもよく、また、収縮（弾性変形）してもよい。
【０１０５】
以上より、本実施形態に係る包装容器１は、上方が開放される第１容器２と、前記第１容器２の上方を覆うように、前記第１容器２の上に積まれる第２容器３と、を備える、包装容器１であって、前記第２容器３が前記第１容器２の上に積まれる状態で、前記第１容器２の内部と外部との間に、気体の通路を形成する通気手段６を備える。
【０１０６】
斯かる構成によれば、第２容器３が第１容器２の上に積まれる状態で、通気手段６が、第１容器２の内部と外部との間に、気体の通路を形成する。これにより、第１容器２の内部の気体が、第１容器２の外部に排出するため、下に積まれた第１容器２の内部から外部に気体を確実に排出することができる。
【０１０７】
また、本実施形態に係る包装容器１においては、前記通気手段６は、前記第２容器３が前記第１容器２の上から所定距離以上離れることを規制するために、第１及び第２容器２，３を覆う外装体５を備える、という構成である。
【０１０８】
斯かる構成によれば、包装容器１が加熱された際に、第１容器２の内部の圧力が上昇する。そして、その圧力によって、第２容器３が第１容器２の上から離れようとするため、第１容器２と第２容器３との間に、気体の通路が形成される。これにより、第１容器２の内部の気体が、第１容器２の外部に排出される。一方で、外装体５が第１及び第２容器２，３を覆っているため、第１容器２の内部の圧力が所定の圧力以上となった場合でも、第２容器３が第１容器２の上から所定距離以上離れることを抑制することができる。
【０１０９】
なお、包装容器１は、上記した第３実施形態に係る包装容器１の構成及び作用に限定されるものではない。例えば、上記した第３実施形態に係る包装容器１に対して、以下のような変更が行われてもよい。
【０１１０】
（１）上記第３実施形態に係る包装容器１においては、第１容器２の内部の圧力が所定圧力よりも上昇した場合に、外装体５が伸長するように変形する、という構成である。しかしながら、包装容器１は、斯かる構成に限られない。例えば、図２３〜図２６に示すように、第１容器２の内部の圧力が所定圧力よりも上昇した場合に、外装体５が伸長しない、という構成でもよい。図２３〜図２６に係る包装容器１について、以下に説明する。
【０１１１】
図２３及び図２４に示すように、外装体５は、第１容器２の側面部及び下面部（図２３及び図２４において、図示していない）と、第２容器３の側面部と、蓋体４の上面部とを覆っている。これにより、外装体５は、第１容器２、第２容器３及び蓋体４を互いに固定している。
【０１１２】
そして、図２３に示すように、外装体５は、上下方向Ｄ３において、蓋体４との間に隙間を有している。当該隙間の寸法は、第２容器３の脚部３ｃの高さよりも小さくなっている。斯かる構成によれば、例えば、第１容器２の上に第２容器３を安定して積むことができる。
【０１１３】
なお、外装体５が覆う範囲は、第２容器３が第１容器２の上から所定距離以上離れることを規制できる範囲であれば、特に限定されない。例えば、外装体５は、第１容器２よりも下方側の少なくとも一部と、第２容器３よりも上方側の少なくとも一部とを覆うことが好ましい。また、外装体５は、第１及び第２容器２，３の内部の圧力が上昇した場合でも、伸長せず且つ破断しない強度を有していれば、特に限定されない。例えば、外装体５は、紙シートで形成されていてもよい。
【０１１４】
ここで、包装容器１を電子レンジで加熱する際の現象について、図２３〜図２６を参照しながら説明する。
【０１１５】
包装容器１が電子レンジで加熱された場合に、第１容器２の内部の圧力が上昇する。その後、第１容器２の内部の圧力が所定圧力よりも上昇した場合に、図２５及び図２６に示すように、第２容器３は、上昇し、第１容器２から離れようとする。
【０１１６】
これにより、第１容器２と第２容器３との間に、隙間が形成される。そして、第１容器２の内部の気体は、当該隙間を通過して、第１容器２の外部に排出される。このとき、第２容器３及び蓋体４が外装体５に接するため、第２容器３が第１容器２の上から所定距離以上離れることを規制されている。
【０１１７】
したがって、第２容器３を第１容器２の上に積む状態を維持することができている。なお、外装体５によって、第１容器２と第２容器３との間に、気体の通路となる隙間が形成されるため、外装体５は、気体の通路を形成する通気手段６である。そして、包装容器１の加熱が完了すると、図２３及び図２４に示すように、第２容器３が下降し、第１容器２に接する。
【０１１８】
（２）また、包装容器１は、第１容器２の上方を覆う蓋体（図１０及び図１１参照）を備えている、という構成でもよい。そして、例えば、蓋体が第１容器２を覆った状態で、包装容器１を電子レンジで加熱するために、蓋体は、気体を通す複数の通気孔を備えている、という構成でもよい。
【０１１９】
なお、包装容器１は、上記した実施形態の構成に限定されるものではなく、また、上記した作用効果に限定されるものではない。また、包装容器１は、本発明の要旨を逸脱しない範囲内において種々変更を加え得ることは勿論である。例えば、上記した複数の実施形態の各構成や各方法等を任意に採用して組み合わせてもよく（１つの実施形態に係る各構成や各方法等を他の実施形態に係る構成や方法等に適用してもよく）、さらに、下記する各種の変更例に係る構成や方法等を任意に一つ又は複数選択して、上記した実施形態に係る構成や方法等に採用してもよいことは勿論である。
【０１２０】
（１）上記各実施形態に係る包装容器１においては、第２容器３が第１容器２の上に積まれる状態で、第１容器２の上部が第２容器３の下部の内部に嵌められている、という構成である。しかしながら、包装容器１は、斯かる構成に限られない。例えば、第２容器３が第１容器２の上に積まれる状態で、第２容器３の下部が第１容器２の上部の内部に嵌められている、という構成でもよい。
【０１２１】
（２）また、上記各実施形態に係る包装容器１においては、容器２，３は、二つ備えられている、という構成である。しかしながら、包装容器１は、斯かる構成に限られない。例えば、容器２，３は、三つ以上備えられている、という構成でもよい。なお、包装容器１は、二つ〜四つの容器２，３が積まれている、という構成が好ましい。
【０１２２】
（３）また、上記各実施形態に係る包装容器１においては、容器２，３は、円筒状に形成されている、という構成である。しかしながら、包装容器１は、斯かる構成に限られない。例えば、容器２，３は、多角筒状に形成されている、という構成でもよく、楕円筒状に形成されている、という構成でもよい。
【０１２３】
（４）また、上記各実施形態に係る包装容器１においては、容器２，３は、側面部に、凹凸部２ｈ，３ｈを備えている、という構成である。しかしながら、包装容器１は、斯かる構成が好ましいものの、斯かる構成に限られない。例えば、容器２，３は、側面部の全域に亘って、滑面部２ｅ，３ｅを備えている、という構成でもよい。
【０１２４】
（５）また、上記各実施形態に係る包装容器１においては、通気手段６で形成される通路は、蒸気や空気を通過させることができる、という構成である。しかしながら、包装容器１は、斯かる構成が好ましいものの、斯かる構成に限られない。例えば、通気手段６で形成される通路は、空気を通過させることができるものの、蒸気を通過させることができない、という構成でもよい。
【０１２５】
（６）また、包装容器１は、電子レンジだけでなく、他の加熱装置（例えば、蒸し器）によって加熱される、という構成でもよい。
【符号の説明】
【０１２６】
１…包装容器、２…第１容器、２ａ…胴部、２ｂ…底部、２ｃ…脚部、２ｄ…フランジ部、２ｅ…滑面部、２ｆ…凸条部、２ｇ…溝部、２ｈ…凹凸部、２ｉ…第１接触部、２ｊ…凹部、２ｋ…凸部、２ｍ…孔部、２ｎ…第１突起部、３…第２容器、３ａ…胴部、３ｂ…底部、３ｃ…脚部、３ｄ…フランジ部、３ｅ…滑面部、３ｆ…凸条部、３ｇ…溝部、３ｈ…凹凸部、３ｉ…第２接触部、３ｊ…第２突起部、３ｋ…位置決め部、３ｍ…弾性部、４…蓋体、５…外装体、６…通気手段、６ａ…規制部、７…蓋体
【図１】
2019172310.tif 000003
【図２】
2019172310.tif 000004
【図３】
2019172310.tif 000005
【図４】
2019172310.tif 000006
【図５】
2019172310.tif 000007
【図６】
2019172310.tif 000008
【図７】
2019172310.tif 000009
【図８】
2019172310.tif 000010
【図９】
2019172310.tif 000011
【図１０】
2019172310.tif 000012
【図１１】
2019172310.tif 000013
【図１２】
2019172310.tif 000014
【図１３】
2019172310.tif 000015
【図１４】
2019172310.tif 000016
【図１５】
2019172310.tif 000017
【図１６】
2019172310.tif 000018
【図１７】
2019172310.tif 000019
【図１８】
2019172310.tif 000020
【図１９】
2019172310.tif 000021
【図２０】
2019172310.tif 000022
【図２１】
2019172310.tif 000023
【図２２】
2019172310.tif 000024
【図２３】
2019172310.tif 000025
【図２４】
2019172310.tif 000026
【図２５】
2019172310.tif 000027
【図２６】
2019172310.tif 000028